(57)【要約】【課題】  簡易な構成によって、必要なステレオ領域を確保しながら、ステレオ−モノラル間の移行の際に生じる違和感を十分に低減することができることにより、コストを削減しつつ、違和感が少なく聴取品位が良好な音声を復調することができる「受信装置および受信方法」を提供すること。【解決手段】  検出信号に応じてステレオの分離度の最大値を制御する最大分離度制御回路１２，１３を備えたこと。【選択図】      図１
2006121296.tif 000002
【特許請求の範囲】
【請求項１】
受信信号に混入されたマルチパスノイズを検出するマルチパスノイズ検出回路と、このマルチパスノイズ検出回路の検出信号に時定数を付加する時定数付加回路とを有し、前記時定数付加回路によって時定数が付加された検出信号に基づいて、ステレオ−モノラル間の移行時間を前記時定数にしたがって調整することにより、マルチパスノイズに応じたステレオの分離度の制御を可能とされた受信装置であって、
前記検出信号に応じて前記ステレオの分離度の最大値を制御する最大分離度制御回路を備えたことを特徴とする受信装置。
【請求項２】
前記最大分離度制御回路は、前記時定数付加回路によって時定数が付加された検出信号が、所定の閾値を超える値を所定時間以上持続させた場合には、前記分離度の最大値が所定の基準値を維持または当該基準値に移行するように制御を行い、一方、前記時定数付加回路によって時定数が付加された検出信号が、前記閾値を超える値を前記所定時間以上持続させなかった場合には、前記分離度の最大値が前記基準値を下回る他の基準値を維持または当該基準値に移行するように制御を行うことを特徴とする請求項１に記載の受信装置。
【請求項３】
前記最大分離制御回路は、パイロット信号とＬ−Ｒ信号との位相を補正する位相補正回路を有することを特徴とする請求項１または請求項２に記載の受信装置。
【請求項４】
前記ステレオ−モノラル間の移行時間は、モノラルからステレオへの復帰時間であることを特徴とする請求項１乃至請求項３のいずれか１項に記載の受信装置。
【請求項５】
受信信号に混入されたマルチパスノイズを検出信号として検出し、この検出信号に時定数を付加し、この時定数を付加した検出信号に基づいて、ステレオ−モノラル間の移行時間を前記時定数にしたがって調整することにより、マルチパスノイズに応じたステレオの分離度の制御を行う受信方法であって、
前記検出信号に応じて分離度の最大値を制御することを特徴とする受信方法。
【請求項６】
前記時定数が付加された検出信号が、所定の閾値を超える値を所定時間以上持続させた場合には、前記分離度の最大値が所定の基準値を維持または当該基準値に移行するように制御を行い、一方、前記時定数が付加された検出信号が、前記閾値を超える値を前記所定時間以上持続させなかった場合には、前記分離度の最大値が前記基準値を下回る他の基準値を維持または当該基準値に移行するように制御を行うことを特徴とする請求項５に記載の受信方法。
【請求項７】
パイロット信号とＬ−Ｒ信号との位相を補正することによって、前記分離度の最大値を制御することを特徴とする請求項５または請求項６に記載の受信方法。
【請求項８】
前記ステレオ−モノラル間の移行時間を、モノラルからステレオへの復帰時間とすることを特徴とする請求項５乃至請求項７のいずれか１項に記載の受信方法。
【発明の詳細な説明】
【技術分野】
【０００１】
本発明は、受信装置および受信方法に係り、特に、ＦＭ受信時にマルチパスノイズを検出した場合において、音域（特にＬ−Ｒ領域）を復調する際に発生する歪みを低減するのに好適な受信装置および受信方法に関する。
【背景技術】
【０００２】
従来から、ＦＭステレオ受信においては、送信アンテナから受信アンテナまでの経路が異なる電波を受信アンテナで同時に受信することによって発生するマルチパスノイズにより、当該受信した電波を元に形成されるステレオ・コンポジット信号におけるＬ−Ｒ領域を復調する際に歪みが発生することが問題となっていた。
【０００３】
そこで、このような歪みを低減するために、従来から、マルチパスノイズを検出した場合には、ステレオによる復調からモノラルによる復調に切換えてステレオの分離度（セパレーション量）を低減させることが行われていた。
【０００４】
また、その場合には、マルチパスノイズが検出されなくなったら、モノラルによる復調からステレオによる復調に復帰させるようになっていた。
【０００５】
さらに、従来は、前述のようにステレオとモノラルとの切り替えを行うにあたり、マルチパスノイズが頻繁に検出される場合におけるステレオとモノラルとの頻繁な切換えによって聴取者に音質の違和感を与えることを防止するために、ステレオとモノラルとの切換えの際に、ある程度の時定数を設定するようになっていた。
【０００６】
これにより、例えば、移動体受信装置のようにマルチパスノイズが頻繁に検出される受信装置においては、マルチパスノイズの検出量に応じて分離度を時定数にしたがって変動させることができる結果、ステレオ−モノラル間の移行を滑らかに行うことができ、音質の違和感をある程度低減することが可能であった。
【０００７】
【特許文献１】特許第２９８３６０９号公報
【特許文献２】特開平９−１８６６６６号公報
【特許文献３】特開２００４−１２９１６２号公報
【発明の開示】
【発明が解決しようとする課題】
【０００８】
しかしながら、マルチパスノイズの検出量に応じた分離度の制御を行う際に、分離度の変動量が大きい場合には、たとえ、前述のように時定数を設定する場合においても、音質の違和感を十分に低減することは困難であった。
【０００９】
そこで、本発明は、このような点に鑑みなされたものであり、簡易な構成によって、必要なステレオ領域を確保しながら、ステレオ−モノラル間の移行の際に生じる違和感を十分に低減することができることにより、コストを削減しつつ、違和感が少なく聴取品位が良好な音声を復調することができる受信装置および受信方法を提供することを目的とするものである。
【課題を解決するための手段】
【００１０】
前述した目的を達成するため、本発明に係る受信装置の特徴は、受信信号に混入されたマルチパスノイズを検出するマルチパスノイズ検出回路と、このマルチパスノイズ検出回路の検出信号に時定数を付加する時定数付加回路とを有し、前記時定数付加回路によって時定数が付加された検出信号に基づいて、ステレオ−モノラル間の移行時間を前記時定数にしたがって調整することにより、マルチパスノイズに応じたステレオの分離度の制御を可能とされた受信装置であって、前記検出信号に応じて前記ステレオの分離度の最大値を制御する最大分離度制御回路を備えた点にある。
【００１１】
そして、このような構成によれば、最大分離度制御回路によってマルチパスノイズの検出信号に応じてステレオの分離度の最大値を制御することにより、分離度の変動量をマルチパスノイズに応じて好適な範囲内に規制することが可能となる。
【００１２】
また、本発明に係る受信装置の特徴は、最大分離度制御回路が、時定数付加回路によって時定数が付加された検出信号が、所定の閾値を超える値を所定時間以上持続させた場合には、分離度の最大値が所定の基準値を維持または当該基準値に移行するように制御を行い、一方、前記時定数付加回路によって時定数が付加された検出信号が、前記閾値を超える値を前記所定時間以上持続させなかった場合には、前記分離度の最大値が前記基準値を下回る他の基準値を維持または当該基準値に移行するように制御を行う点にある。
【００１３】
そして、このような構成によれば、マルチパスノイズの検出量および検出頻度に応じて、簡易かつ高精度にステレオの分離度の最大値を好適な値に制御することが可能となる。
【００１４】
さらに、本発明に係る受信装置の特徴は、最大分離制御回路が、パイロット信号とＬ−Ｒ信号との位相を補正する位相補正回路を有する点にある。
【００１５】
そして、このような構成によれば、簡易な構成によって分離度の最大値を確実に制御することが可能となる。
【００１６】
さらにまた、本発明に係る受信装置の特徴は、ステレオ−モノラル間の移行時間が、モノラルからステレオへの復帰時間である点にある。
【００１７】
そして、このような構成によれば、最大分離度制御回路によってマルチパスノイズの検出信号に応じてモノラルからステレオへの復帰の際における分離度の変動量を好適な範囲内に規制することが可能となる。
【００１８】
また、本発明に係る受信方法の特徴は、受信信号に混入されたマルチパスノイズを検出信号として検出し、この検出信号に時定数を付加し、この時定数を付加した検出信号に基づいて、ステレオ−モノラル間の移行時間を前記時定数にしたがって調整することにより、マルチパスノイズに応じたステレオの分離度の制御を行う受信方法であって、前記検出信号に応じて分離度の最大値を制御する点にある。
【００１９】
そして、このような方法によれば、マルチパスノイズの検出信号に応じてステレオの分離度の最大値を制御することにより、分離度の変動量をマルチパスノイズに応じて好適な範囲内に規制することが可能となる。
【００２０】
さらに、本発明に係る受信方法の特徴は、時定数が付加された検出信号が、所定の閾値を超える値を所定時間以上持続させた場合には、分離度の最大値が所定の基準値を維持または当該基準値に移行するように制御を行い、一方、前記時定数が付加された検出信号が、前記閾値を超える値を前記所定時間以上持続させなかった場合には、前記分離度の最大値が前記基準値を下回る他の基準値を維持または当該基準値に移行するように制御を行う点にある。
【００２１】
そして、このような方法によれば、マルチパスノイズの検出量および検出頻度に応じて、簡便かつ高精度にステレオの分離度の最大値を好適な値に制御することが可能となる。
【００２２】
さらにまた、本発明に係る受信方法の特徴は、パイロット信号とＬ−Ｒ信号との位相を補正することによって、分離度の最大値を制御する点にある。
【００２３】
そして、このような方法によれば、簡便な方法によって分離度の最大値を確実に制御することが可能となる。
【００２４】
また、本発明に係る受信方法の特徴は、ステレオ−モノラル間の移行時間を、モノラルからステレオへの復帰時間とする点にある。
【００２５】
そして、このような方法によれば、マルチパスノイズの検出量に応じてモノラルからステレオへの復帰の際における分離度の変動量を好適な範囲内に規制することが可能となる。
【発明の効果】
【００２６】
本発明に係る受信装置によれば、最大分離度制御回路によってマルチパスノイズの検出信号に応じてステレオの分離度の最大値を制御することにより、分離度の変動量をマルチパスノイズの検出量に応じて好適な範囲内に規制することができる結果、簡易な構成によって、必要なステレオ領域を確保しつつ、ステレオ−モノラル間の移行の際に生じる違和感を十分に低減することができることによって、コストを削減しつつ、違和感が少なく聴取品位が良好な音声を復調することができる。
【００２７】
また、本発明に係る受信装置によれば、マルチパスノイズの検出量および検出頻度に応じて、簡易かつ高精度にステレオの分離度の最大値を好適な値に制御することができる結果、さらに確実かつ安価に、違和感が少なく聴取品位が良好な音声を復調することができる。
【００２８】
さらに、本発明に係る受信装置によれば、簡易な構成によって分離度の最大値を確実に制御することができる結果、さらにコストを削減することができる。
【００２９】
さらにまた、本発明に係る受信装置によれば、最大分離度制御回路によってマルチパスノイズの検出信号に応じてモノラルからステレオへの復帰の際における分離度の変動量を好適な範囲内に規制することができる結果、簡易な構成によって、必要なステレオ領域を確保しつつ、モノラルからステレオへの復帰の際に生じる違和感を十分に低減することができることによって、コストを削減しつつ、違和感が少なくかつ聴取品位が良好な音声を復調することができる。
【００３０】
また、本発明に係る受信方法によれば、マルチパスノイズの検出結果に応じてステレオの分離度の最大値を制御することにより、分離度の変動量をマルチパスノイズの検出量に応じて好適な範囲内に規制することができる結果、簡便な方法によって、必要なステレオ領域を確保しつつ、ステレオ−モノラル間の移行の際に生じる違和感を十分に低減することができることによって、コストを削減しつつ、違和感が少なく聴取品位が良好な音声を復調することができる。
【００３１】
さらに、本発明に係る受信方法によれば、マルチパスノイズの検出量および検出頻度に応じて、簡便かつ高精度にステレオの分離度の最大値を好適な値に制御することができる結果、さらに確実かつ安価に、違和感が少なく聴取品位が良好な音声を復調することができる。
【００３２】
さらにまた、本発明に係る受信方法によれば、簡便な方法によって分離度の最大値を確実に制御することができる結果、さらにコストを削減することができる。
【００３３】
また、本発明に係る受信方法によれば、マルチパスノイズの検出量に応じてモノラルからステレオへの復帰の際における分離度の変動量を好適な範囲内に規制することができる結果、簡便な方法によって、必要なステレオ領域を確保しつつ、モノラルからステレオへの復帰の際に生じる違和感を十分に低減することができることによって、コストを削減しつつ、違和感が少なくかつ聴取品位が良好な音声を復調することができる。
【発明を実施するための最良の形態】
【００３４】
以下、本発明に係る受信装置について、図１乃至図４を参照して説明する。
【００３５】
図１に示すように、本実施形態における受信装置１は、受信アンテナ２を有しており、この受信アンテナ２により、図示しない送信アンテナからのＦＭの送信信号が受信されるようになっている。
【００３６】
受信アンテナ２の出力側には、同調回路３が接続されており、この同調回路３において、受信すべき所望の周波数付近の信号成分が強調されて出力されるようになっている。
【００３７】
また、受信装置１は、局部発振回路４を有しており、この局部発振回路４から出力される局部発振信号と同調回路３からの出力信号とが混合されることによって、中間周波数信号が生成されるようになっている。
【００３８】
同調回路３および局部発振回路４の出力側には、中間周波数増幅回路５が接続されており、この中間周波数増幅回路５には、前記中間周波数信号が入力されるようになっている。
【００３９】
中間周波数増幅回路５は、入力された中間周波数信号を増幅して出力するようになっている。
【００４０】
中間周波数増幅回路５の出力側には、ＦＭ検波回路７が接続されており、このＦＭ検波回路７には、中間周波数増幅回路５から出力された信号が入力されるようになっている。
【００４１】
そして、ＦＭ検波回路７は、入力された信号から音声信号（Ｌ＋Ｒ信号およびＬ−Ｒ信号を含んだステレオ・コンポジット信号）だけを取り出して出力するようになっている。
【００４２】
ＦＭ検波回路７の出力側には、ＦＭ検波回路７によって検波された音声信号におけるＬ＋Ｒ信号とＬ−Ｒ信号との混合量を制御するブレンド制御回路８が後述する最大分離度制御回路の位相補正回路１２を経て接続されている。
【００４３】
ブレンド制御回路８は、音声信号を分離度に応じて左右各チャンネルの音声信号に分離した後に出力するようになっている。
【００４４】
ブレンド制御回路８の出力側には、Ｌ／Ｒ信号出力回路９が接続されており、このＬ／Ｒ信号出力回路９には、ブレンド制御回路８から出力された左右各チャンネルの音声信号が入力されるようになっている。
【００４５】
そして、Ｌ／Ｒ信号出力回路９は、入力された左右各チャンネルの音声信号を適正なレベルで出力するようになっている。
【００４６】
また、受信装置１は、ＦＭ検波回路７の出力側に、マルチパスノイズ検出回路１０を有しており、このマルチパスノイズ検出回路１０は、ＦＭ検波回路７によって取り出された音声信号におけるＳメータ成分等に基づいて、マルチパスノイズを検出し、検出結果を検出信号として出力するようになっている。
【００４７】
マルチパスノイズ検出回路１０の出力側であってブレンド制御回路８の入力側には、時定数付加回路１１が接続されており、この時定数付加回路１１には、マルチパスノイズ検出回路１０の検出信号が入力されるようになっている。
【００４８】
そして、時定数付加回路１１は、入力された検出信号に時定数を付加するとともに、時定数を付加した信号をブレンド制御回路８に出力するようになっている。
【００４９】
これにより、モノラルからステレオへの復帰時間あるいはステレオからモノラルへの移行時間を前記時定数にしたがって調整することができる。
【００５０】
さらに、本実施形態における受信装置１は、前記検出信号に応じてステレオの分離度の最大値を制御する最大分離度制御回路を備えている。
【００５１】
すなわち、ＦＭ検波回路７の出力側とブレンド制御回路８の入力側との間には、最大分離度制御回路の一部を構成する位相補正回路１２が接続されており、この位相補正回路１２には、ＦＭ検波回路７から出力された音声信号が入力されるようになっている。
【００５２】
また、マルチパスノイズ検出回路１０および時定数付加回路１１の出力側と位相補正回路１２の入力側との間には、位相補正回路１２とともに最大分離度制御回路を構成するマイコン１３が接続されている。
【００５３】
マイコン１３には、マルチパスノイズ検出回路１０の検出信号と時定数付加回路１１から出力された信号とが入力されるようになっている。
【００５４】
そして、マイコン１３は、入力された各信号に基づいて、位相補正回路１２に対する制御量を決定するとともに、決定した制御量に対応する制御信号を位相補正回路１２に出力するようになっている。
【００５５】
また、位相補正回路１２には、ＦＭ検波回路７から出力された音声信号と、マイコン１３から出力された制御信号とが入力されるようになっている。
【００５６】
そして、位相補正回路１２は、制御信号にしたがって、音声信号におけるパイロット信号とＬ−Ｒ信号との位相を補正することによって、分離度の最大値をマルチパスノイズ検出回路１０の検出信号に応じた値に制御するようになっている。
【００５７】
これにより、モノラルからステレオへの復帰時間あるいはステレオからモノラルへの移行時間を前記時定数にしたがって調整する際に、分離度の変動範囲を前記最大値を超えない範囲内に規制することができる。
【００５８】
したがって、本実施形態によれば、分離度の変動量を簡便な手法によってマルチパスノイズに応じた好適な範囲内に確実に規制することができる。
【００５９】
次に、図２および図３は、本実施形態のより具体的な一例を示したものであり、図２は、同図（ａ）に示すように、マルチパスノイズが高頻度に検出された場合における分離度の最大値の遷移の一例を、図３は、同図（ａ）に示すように、マルチパスノイズが低頻度に検出された場合における分離度の最大値の遷移の一例を示している。
【００６０】
図２（ｂ）および図３（ｂ）に示すように、本実施形態において、位相補正回路１２は、時定数付加回路１１によって時定数が付加された検出信号が、所定の閾値を超える値を所定の時間（図２（ｂ）および図３（ｃ）において５ｓｅｃ）以上持続させた場合には、図２（ｃ）および図３（ｃ）に示すセパレーション復帰モードを維持または当該セパレーション復帰モードに移行するようになっている。
【００６１】
そして、セパレーション復帰モードにおいて、位相補正回路１２は、分離度の最大値（図２（ｃ）および図３（ｃ）におけるＭａｘ．セパレーション）が、図２（ｃ）および図３（ｃ）に示す高分離度側基準値を維持または当該高分離度側基準値に移行するように制御を行うようになっている。
【００６２】
また、位相補正回路１２は、図２（ｂ）に示すように、時定数付加回路１１によって時定数が付加された検出信号が、所定の閾値を超える値を所定の時間（図２において５ｓｅｃ）以上持続させなかった場合には、図２（ｃ）に示す低セパレーションモードを維持または当該低セパレーションモードに移行するようになっている。
【００６３】
そして、低セパレーションモードにおいて、位相補正回路１２は、分離度の最大値が、前記高分離度側基準値よりも低い基準値である低分離度側基準値を維持または当該低分離度側基準値に移行するように制御を行うようになっている。
【００６４】
前記時定数が付加された検出信号が所定の閾値を超えたか否かの判断および当該所定の閾値が所定時間持続されたか否かの判断は、マイコン１３によって行うことができる。
【００６５】
これにより、図４に示すように、マルチパスノイズの検出量および検出頻度に応じて、簡易かつ高精度にステレオの分離度の最大値を好適な値に制御することができる。
【００６６】
なお、前記所定の閾値、所定の時間、低分離度側基準値および高分離度側基準値については、コンセプトに応じて所望の値を選択することができる。
【００６７】
例えば、前記所定の閾値を２５ｄＢとし、前記所定の時間を前述のように５ｓｅｃとし、前記低分離度側基準値を２５ｄＢとし、前記高分離度側基準値を４０ｄＢとしてもよい。
【００６８】
また、低分離度側基準値から高分離度側基準値への分離度の最大値の移行速度および高分離度側基準値から低分離度側基準値への分離度の最大値の移行速度についても、コンセプトに応じて所望の値を選択することができる。
【００６９】
例えば、高分離度側基準値から低分離度側基準値への分離度の最大値の移行速度を２ｄＢ／２００ｍｓｅｃとし、低分離度側基準値から高分離度側基準値への分離度の最大値の移行速度を２ｄＢ／２ｓｅｃとしてもよい。
【００７０】
位相補正回路１２は、分離度の最大値を制御した後の音声信号をブレンド制御回路８に出力するようになっており、これによって、分離度の変動量がマルチパスノイズに応じた好適な範囲内に規制されるようにステレオの分離度が制御されるようになっている。
【００７１】
次に、本発明に係る受信方法の実施形態について図５乃至図７を参照して説明する。
【００７２】
なお、本実施形態における受信方法は、前述した受信装置を用いて実行することができる。
【００７３】
すなわち、本実施形態においては、まず、図５のステップ１（ＳＴ１）において、マルチパスノイズ検出回路１０により、一定の時間（例えば１０ｍｓｅｃ）ごとにマルチパスノイズの値を検出する。
【００７４】
次いで、ステップ２（ＳＴ２）において、マイコン１３により、マルチパスノイズの検出量が所定の閾値を超えたか否かを判定し、閾値を超えた場合には、ステップ３（ＳＴ３）に進み、閾値以下の場合には、処理を終了する。
【００７５】
このときのマイコン１３による判定は、マルチパスノイズ検出回路１０からマイコン１３に直に出力された検出信号に基づいて行うようにしてもよいし、また、時定数付加回路１１によって時定数が付加された検出信号に基づいて行うようにしてもよい。
【００７６】
次いで、ステップ３（ＳＴ３）においては、マイコン１３により、時定数が付加された検出信号が、前記閾値を超える値を所定の時間（例えば５ｓｅｃ）以上持続させたか否かを判定し、持続させた場合にはステップ４（ＳＴ４）に進み、持続させなかった場合には、ステップ５（ＳＴ５）に進む。
【００７７】
そして、ステップ４（ＳＴ４）においては、図６に示すセパレーション復帰モードへ移行し、一方、ステップ５（ＳＴ５）においては、図７に示す低セパレーションモードへ移行する。
【００７８】
次に、図５におけるステップ４（ＳＴ４）において、セパレーション復帰モードへ移行する場合には、まず、図６におけるステップ１１（ＳＴ１１）において、セパレーション復帰モードを開始すると、続くステップ１２（ＳＴ１２）において、現在の分離度の最大値が、前記高分離度側基準値（例えば４０ｄＢ）であるか否かを判定する。
【００７９】
そして、ステップ１２（ＳＴ１２）において、現在の分離度の最大値が高分離度側基準値である場合には処理を終了して分離度の最大値をそのまま高分離度側基準値に維持し、高分離度側基準値に満たない場合には、ステップ１３（ＳＴ１３）に進む。
【００８０】
次いで、ステップ１３（ＳＴ１３）においては、位相補正回路１２の制御によって、分離度の最大値を前記高分離度側基準値に増加させる制御を行った後に処理を終了する。
【００８１】
一方、図５におけるステップ５（ＳＴ５）において、低セパレーションモードへ移行する場合には、まず、図７のステップ２１（ＳＴ２１）において、低セパレーションモードを開始すると、続くステップ２２（ＳＴ２２）において、現在の分離度の最大値が、低分離度側基準値（例えば２５ｄＢ）を上回るか否かを判定する。
【００８２】
そして、ステップ２２（ＳＴ２２）において、現在の分離度の最大値が低分離度側基準値を上回る場合にはステップ２３（ＳＴ２３）に進み、上回らない場合には処理を終了して現在の分離度の最大値を維持する。
【００８３】
次いで、ステップ２３（ＳＴ２３）においては、位相補正回路１２の制御によって、分離度の最大値を前記低分離度側基準値に減衰させる制御を行った後に処理を終了する。
【００８４】
したがって、本実施形態によれば、マイコン１３および位相補正回路１２によって構成された最大分離度制御回路によってマルチパスノイズの検出信号に応じてステレオの分離度の最大値を制御することにより、分離度の変動量をマルチパスノイズに応じて好適な範囲内に規制することができる。
【００８５】
この結果、簡易な構成によって、必要なステレオ領域を確保しながら、ステレオ−モノラル間の移行の際に生じる違和感を十分に低減することができ、コストを削減しつつ、違和感が少なく聴取品位が良好な音声を復調することができる。
【００８６】
なお、本発明は、前述した実施の形態に限定されるものではなく、必要に応じて種々の変更が可能である。
【図面の簡単な説明】
【００８７】
【図１】本発明に係る受信装置の実施形態を示すブロック図
【図２】本発明に係る受信装置の実施形態において、高頻度のマルチパスノイズの検出信号および当該検出信号に時定数が付加された信号ならびにそのときの分離度の最大値の変位を示すグラフ
【図３】本発明に係る受信装置の実施形態において、低頻度のマルチパスノイズの検出信号および当該検出信号に時定数が付加された信号ならびにそのときの分離度の最大値の変位を示すグラフ
【図４】本発明に係る受信装置の実施形態において、分離度の変動量の規制状態を示すグラフ
【図５】本発明に係る受信方法の実施形態を示すフローチャート
【図６】本発明に係る受信方法の実施形態において、図５の後続の処理としての分離度の最大値の増加処理を示すフローチャート
【図７】本発明に係る受信方法の実施形態において、図５の後続の処理としての分離度の最大値の減衰処理を示すフローチャート
【符号の説明】
【００８８】
１  受信装置
１０  マルチパスノイズ検出回路
１１  時定数付加回路
１２  位相補正回路
１３  マイコン
【図１】
2006121296.tif 000003
【図２】
2006121296.tif 000004
【図３】
2006121296.tif 000005
【図４】
2006121296.tif 000006
【図５】
2006121296.tif 000007
【図６】
2006121296.tif 000008
【図７】
2006121296.tif 000009